(57)【特許請求の範囲】
【請求項１】
被読取媒体上に形成された画像データを停止／再動することなく連続して読み取る読取部と、
前記被読取媒体の読取解像度を選択可能な読取解像度選択部と、
前記読取部が被読取媒体を読み取る読取速度を高速モードと中速モードと低速モードとのいずれかに設定する読取速度制御部と、
前記読取部を介して読み取られた画像データを格納するデータ格納部と、
前記データ格納部に格納された画像データを転送先へと転送する転送部と、
前記データ転送部のデータ転送速度を認識可能なデータ転送速度認識部とを備えるデータ転送装置において、
前記読取速度制御部は、前記データ格納部のメモリ空き容量が所定値以上か否かを判断するメモリ空き容量判断手段と、前記メモリ空き容量が所定値より小さいと判断された場合に、前記選択された読取解像度が所定解像度以上か否かを判断する解像度判断手段と、前記選択された読取解像度が所定解像度以上であると判断された場合に、前記データ転送速度が前記設定された読取速度よりも速いか否かを判断する転送処理速度判断手段とを更に備え、
前記読取速度制御部は、前記メモリ空き容量が所定値以上あると判断された場合、または前記選択された読取解像度が所定解像度より小さいと判断された場合に、前記設定された読取速度を高速モードに変更し、前記データ転送速度が前記設定された読取速度よりも速い場合に、前記設定された読取速度を中速モードに変更し、前記データ転送速度が前記設定された読取速度以下である場合に、前記設定された読取速度を前記データ転送速度より低下させた低速モードに変更することを特徴とするデータ転送装置。
【請求項２】
操作パネルと、
前記被読取媒体の枚数を前記操作パネルから入力可能な入力部を更に備え、
前記読取速度制御部は、前記データ格納部のメモリ空き容量が前記所定値より小さいと前記メモリ空き容量判断手段により判断された場合に、前記入力された被読取媒体の枚数から読み取りが終了した被読取媒体の枚数を減算した被読取媒体の枚数が所定枚数以上か否かを判断するデータ残容量判断手段を更に備え、
前記解像度判断手段は、減算後の被読取媒体の枚数が所定枚数以上であると判断された場合に、前記被読取媒体の読取解像度が所定解像度以上か否かを判断し、前記減算後の被読取媒体の枚数が所定枚数より少ないと判断された場合に、前記設定された読取速度を前記高速モードに変更することを特徴とする請求項１に記載のデータ転送装置。
【請求項３】
被読取媒体を載置可能な載置台と、
前記載置台に載置された被読取媒体が所定枚数以上であるか否かを前記載置された被読取媒体の厚みに基づいて検出するセンサと、
前記センサにより検出結果を入力可能な入力部を更に備え、
前記読取速度制御部は、前記データ格納部のメモリ空き容量が前記所定値より小さいと前記メモリ空き容量判断手段により判断された場合に、前記入力されたセンサの検出結果に基づいて前記被読取媒体の枚数が所定枚数以上か否かを判断するデータ残容量判断手段を更に備え、
前記解像度判断手段は、前記被読取媒体の枚数が所定枚数以上であると判断された場合に、前記被読取媒体の読取解像度が所定解像度以上か否かを判断し、前記被読取媒体の枚数が所定枚数より少ないと判断された場合に、前記設定された読取速度を前記高速モードに変更することを特徴とする請求項１に記載のデータ転送装置。
【発明の詳細な説明】
【０００１】
【発明の属する技術分野】
本発明は、被読取媒体上に形成された画像データを読み取るとともに、その画像データを転送先へと転送可能なデータ転送装置に関し、特に、被読取媒体上に形成された画像データの品質を劣化させること無く転送先へと転送可能なデータ転送装置に関するものである。
【０００２】
【従来の技術】
一般に、被読取媒体上に形成された画像データを読み取り、その画像データを転送先へと転送するデータ転送装置では、被読取媒体上の画像データを読み取る読取部と、読取部を介して読み取られた被読取媒体上の画像データを格納するデータ格納部と、データ格納部に格納された画像データを転送相手先へと転送するデータ転送部とから構成されている。
【０００３】
このようなデータ転送装置では、読取部を介して被読取媒体上に形成された画像データを読み取るとともに、その画像データをデータ格納部に格納する読取処理と、データ格納部に格納された画像データを抽出して通信回線等を介して転送先へと転送する転送処理とが平行して処理される構成となっている。
【０００４】
この読取処理及び転送処理は、データの転送に用いる通信回線等の状態や、読み取る画像データの容量や転送する画像データの容量に起因して、必ずしも同一の処理速度で実行されるとは限らないため、これらの処理速度の間に速度差が生じる場合がある。特に、この処理速度の相違の中でも、転送処理よりも読取処理の処理速度が早い場合では、データ格納部に画像データを順次蓄積されてしまい、データ格納部に設けられたメモリ容量を使い切ってしまうことがしばしばあり、読取部を介して得られる画像データが格納できないという不都合が生じることがあった。そこで、上述したデータ転送装置では、このようにデータ格納部のメモリ容量を使い切ってしまった場合は、データ格納部のメモリ容量に空きができるまで、読取部の読取動作を一時中断することにより対処していた。
【０００５】
【発明が解決しようとする課題】
しかしながら、上述したデータ装置において、データ格納部のメモリ容量を全て使い切ったために読取部の読取動作を一時中断すると、被読取媒体を分割して読み取ることとなり、読取動作の停止／再動に起因して、読取動作の停止／再動位置の前後で画像データの重畳や、画像データの抜けが生じて、画像データの連続性が得られにくくなるという問題が生じていた。
【０００６】
これらの問題に対処するために、データ格納部のメモリ容量を増加するという手段が考えられるが、必要以上のメモリ容量増加は、メモリの無駄やコスト高騰を招き、好ましくなかった。
【０００７】
本発明は、上記問題点に鑑みてなされたものであり、データ格納部のメモリ容量を使い切ってしまうことを未然に防止することにより、読取動作の一時中断に起因する画像データの連続性が損なわれてしまうことを回避し、よって、被記録媒体上に形成された画像データの品質を劣化させること無く転送先へと転送することを可能としたデータ転送装置を提供することを目的としている。
【０００８】
【課題を解決するための手段】
上記目的を達成するために、請求項１に記載のデータ転送装置は、被読取媒体上に形成された画像データを停止／再動することなく連続して読み取る読取部と、被読取媒体の読取解像度を選択可能な読取解像度選択部と、読取部が被読取媒体を読み取る読取速度を高速モードと中速モードと低速モードとのいずれかに設定する読取速度制御部と、読取部を介して読み取られた画像データを格納するデータ格納部と、データ格納部に格納された画像データを転送先へと転送する転送部と、データ転送部のデータ転送速度を認識可能なデータ転送速度認識部とを備えるデータ転送装置において、読取速度制御部は、データ格納部のメモリ空き容量が所定値以上か否かを判断するメモリ空き容量判断手段と、メモリ空き容量が所定値より小さいと判断された場合に被読取媒体の読取解像度が所定解像度以上か否かを判断する解像度判断手段と、選択された読取解像度が所定解像度以上であると判断された場合にデータ転送速度が設定された読取速度よりも速いか否かを判断する転送処理速度判断手段とを更に備え、読取速度制御部は、メモリ空き容量が所定値以上あると判断された場合、または選択された読取解像度が所定解像度より小さいと判断された場合に、設定された読取速度を高速モードに変更し、データ転送速度が設定された読取速度よりも速い場合には読取速度を中速モードに変更し、データ転送速度が設定された読取速度以下である場合には設定された読取速度を前記データ転送速度より低下させた低速モードに変更することを特徴とするものである。
【０００９】
このデータ転送装置によれば、読取速度制御部を介してデータ格納部のメモリ空き容量に基づいた読取速度が設定されるとともに、その設定された読取速度に基づいて被読取媒体を読み取ることにより、読取部の読取動作を連続的に行うことが可能となる。これにより、データ格納部のメモリ容量を全て使い切ってしまい、読取部の読取動作をやむなく停止／再動することが無くなるため、被読取媒体を分割して読み取ることが無くなり、画像データの連続性を兼ね備えた品質の良いデータ転送を行うことが可能となる。
【００１０】
また、請求項２に記載のデータ転送装置は、請求項１に記載のデータ転送装置において、操作パネルと、前記被読取媒体の枚数を前記操作パネルから入力可能な入力部を更に備え、前記読取速度制御部は、前記データ格納部のメモリ空き容量が前記所定値より小さいと前記メモリ空き容量判断手段により判断された場合に、前記入力された被読取媒体の枚数から読み取りが終了した被読取媒体の枚数を減算した被読取媒体の枚数が所定枚数以上か否かを判断するデータ残容量判断手段を更に備え、また、解像度判断手段は、減算後の被読取媒体の枚数が所定枚数以上であると判断された場合に、前記被読取媒体の読取解像度が所定解像度以上か否かを判断し、前記減算後の被読取媒体の枚数が所定枚数より少ないと判断された場合に、前記設定された読取速度を前記高速モードに変更することを特徴とするものである。
また、請求項３に記載のデータ転送装置は、請求項１に記載のデータ転送装置において、被読取媒体を載置可能な載置台と、前記載置台に載置された被読取媒体が所定枚数以上であるか否かを前記載置された被読取媒体の厚みに基づいて検出するセンサと、前記センサにより検出結果を入力可能な入力部を更に備え、前記読取速度制御部は、前記データ格納部のメモリ空き容量が前記所定値より小さいと前記メモリ空き容量判断手段により判断された場合に、前記入力されたセンサの検出結果に基づいて前記被読取媒体の枚数が所定枚数以上か否かを判断するデータ残容量判断手段を更に備え、また、解像度判断手段は、前記被読取媒体の枚数が所定枚数以上であると判断された場合に、前記被読取媒体の読取解像度が所定解像度以上か否かを判断し、前記被読取媒体の枚数が所定枚数より少ないと判断された場合に、前記設定された読取速度を前記高速モードに変更することを特徴とするものである。
【００１１】
これらデータ転送装置によれば、読取速度制御部を介して設定される読取速度が、データ格納部のメモリ空き容量、及び、被読取媒体のデータ容量に基づいて調整される。これにより、メモリ空き容量が残り僅かであっても、被読取媒体のデータ容量が少量である場合では、読取速度を低下させずに読取動作を実行することが可能となるので、不必要に読取速度を低下させたことにより、使用者の待ち時間を増加させてしまうことがない。
【００１２】
【００１３】
【００１４】
【００１５】
【００１６】
【発明の実施の形態】
以下、本発明の好ましい実施の形態を、図面を参照しながら詳細に説明する。
【００１７】
図１は、データ転送装置としての一例である多機能ファクシミリ装置の概観斜視図である。
【００１８】
図１に示されるように、この多機能ファクシミリ装置１の本体筐体２は、上面前部に操作パネル３が設けられている。この操作パネル３は、その後部に、多機能ファクシミリ装置１の状態や操作手順等の各種メッセージを表示する液晶ディスプレイ（ＬＣＤ）４と、原稿の読み取り解像度を点灯することにより表示する図示しないファインランプ、スーパーファインランプと、消灯、点灯あるいは点滅することによりトナーの残容量を表示する図示しないトナー残量表示ランプ等を備えており、また、操作パネル３の前部には、相手先ファクシミリ装置や相手先電話装置である通信相手端末８７（図２参照）に割り当てられた番号を入力したり、多機能ファクシミリ装置１に関する各種機能を選択したりするテンキーと、各種機能の開始を指示するスタートキーと、各種機能の停止を指示するストップキーと、多機能ファクシミリ装置１を複写機として使用する際にコピー処理の開始を指示するコピーキー等を備えている。更に、操作パネル３の中間部には、各種機能を選択決定するセットキーと、原稿の読み取り解像度を変更設定可能なレゾルーションキーと、テンキーと併用することにより様々な機能を選択することが可能なファンクションキー等を備えている。
【００１９】
尚、上述した原稿の読み取り解像度に関する初期設定はスタンダードとなっており、ファインランプ及びスーパーファインランプのいずれも点灯されていない状態となっている。この原稿の読み取り解像度は、レゾルーションキーを押下する度に切り換えることが可能であり、スタンダードの状態からレゾルーションキーを１回押下されるとファインランプのみが点灯されるとともに、原稿の読み取り解像度がファインに設定され、また、スタンダードの状態からレゾルーションキーを２回押下されるとスーパーファインランプのみが点灯されるとともに、原稿の読み取り解像度がスーパーファインに設定される構成となっている。更に、スタンダードの状態からレゾルーションキーが３回押下されるとファインランプ及びスーパーファインランプの両方のランプが点灯されるとともに、原稿の読み取り解像度が中間調に設定される構成となっている。この中間調の階調レベルは、ファンクションキーやテンキー等の操作によって所定の階調（例えば、１６階調や３２階調等）に設定することが可能である。
【００２０】
また、液晶ディスプレイ４の後部には、ファクシミリ機能時に通信相手端末８７（図２参照）へ送信されるファクシミリ原稿や、コピー機能時に複写されるコピー原稿が、積層載置可能な原稿載置部５が設けられており、この原稿載置部５に載置された各種原稿を、順次本体筐体２内部へ搬送して、画像読取部６１（図２参照）を介してその原稿上に形成された画像情報を読み取る構成となっている。そして、画像読取部６１（図２参照）を介して画像情報が読み取られた原稿は、順次操作パネル３の下方に設けられた原稿排出部６へ積層可能に排出される。
【００２１】
更に、原稿載置部５の後部には、用紙カセット挿嵌部７が設けられており、複数枚の記録用紙を積層収納可能な用紙カセット（図示せず）を着脱自在に取り付けることが可能となっている。この用紙カセット挿嵌部７に装着される用紙カセットを介して供給される記録用紙は、本体筐体２内部へと搬送されるとともに、後述する画像形成部５３（図２参照）を介して画像が形成された後、原稿排出部６の下方に設けられた記録用紙排出部８から排出される構成となっている。
【００２２】
また、この記録用紙排出部８の右下方部にはビデオ信号入力端子９が設けられており、このビデオ信号入力端子９に接続されたビデオカメラ等から得られるビデオ信号（画像データ）を多機能ファクシミリ装置１の内部へ取り込むとともに、そのビデオ信号に基づいた画像を、本体筐体２内部に設けられた画像形成部５３（図２参照）を介して印字出力することが可能となっている。
【００２３】
次に、図２に示す多機能ファクシミリ装置１のブロック図を参照しながら、上述した多機能ファクシミリ装置１の内部構成について詳細に説明する。
【００２４】
図２に示されるように、この多機能ファクシミリ装置１は、記録用紙上に画像情報を形成する画像形成部５３と、各種データの符号化あるいは復号化を行う符号／復号化部５５と、データの２値化処理を行う２値化部５７と、各種指示を入力可能な操作パネル３と、原稿上に形成された画像情報を読取可能な画像読取部６１と、ビデオ信号等を入力可能なＶＴＲ６３と、ＰＣ６７との通信を実行可能とするＰＣインターフェイス６５と、後述するデータ送信処理プログラムや読取速度決定処理プログラム等の各種プログラムが格納されたＲＯＭ６９と、電気的処理を行うことによりデータ消去することが可能なＥＥＰＲＯＭ７１と、各種データを記憶及び消去することが可能なＲＡＭ７３と、各種音声情報を出力可能なスピーカ７９と、通信相手端末８７との通信に関する各種処理を制御する送受信制御部８１と、データの復調及び変調を実行可能なモデム８３等が、バスを介して接続されるＣＰＵ５１により統制・制御されている。
【００２５】
上述した画像形成部５３は、公知のレーザービームプリンタやインクジェットプリンタ等によって構成されており、ＰＣインターフェイス６５を介して接続されたＰＣ６７からの画像情報や、ＶＴＲ６３から得られたビデオ信号、あるいは、ネットワーク・コントロール・ユニット（以下、ＮＣＵと称する）８５を介して接続された通信相手端末８７から送信された変調データを、モデム８３を介して復調して得られる画像情報等を、記録用紙上に印字出力することが可能である。
【００２６】
また、画像読取部６１は、原稿に光を照射することにより、原稿上に形成されたの画像情報を読み取る公知のスキャナによって構成されており、このため、原稿に照射される光量にむら（例えば、原稿の中央部は明るく、周辺部がくらい等）が生じ、ＣＣＤの出力電圧値が原稿上に形成された画像情報の濃淡に対して正確に得られない場合がある。この不都合に対処するために、本実施形態に係る多機能ファクシミリ装置１では、ＣＣＤ出力電圧のしきい値が、照度むら等に応じて決定され、ＥＥＰＲＯＭ７１内にそのしきい値データを格納するとともに、随時参照する構成となっている。
【００２７】
即ち、画像読取部６１を介して入力されるＣＣＤのアナログ出力電圧値が、ＥＥＰＲＯＭ７１内に格納されているしきい値データ（２値化部５７によってディジタル値からアナログ値に変換されたもの）より大きいか否かをＣＰＵ５１によって判断して、ＣＣＤのアナログ出力電圧値がしきい値データよりも大きいと判断された場合は０（白）、小さい場合は１（黒）に変換することにより、ドットデータを形成している。尚、上述した操作パネル３に設けられたレゾルーションキーの操作によって中間調が選択された場合は、ディザマトリックスに基づいてドットデータが形成される。
【００２８】
更に、この画像読取部６１は、原稿の読取速度を多段階に設定することが可能であり、具体的には、５ｍｓ／ｌｉｎｅ、１０ｍｓ／ｌｉｎｅ、２０ｍｓ／ｌｉｎｅ等の読取速度を有している。これらの読取速度は、図示しない駆動モータ及び変速ギアを介して原稿搬送ローラを駆動制御することにより調整する構成となっている。
【００２９】
また、ＲＡＭ７３内には、通信相手端末８７に画像データを送信する際に、ＶＴＲ６３、ＰＣ６７、あるいは、画像読取部６１を介して得られた画像データを一時格納する画像データメモリ７５と、画像データメモリ７５に格納された画像データを符号／復号化部５５によって符号化圧縮して後の符号化データを一時的に格納する符号化データメモリ７７等が設けられている。
【００３０】
更に、モデム８３は、ディジタル信号をアナログ信号に変調するとともに、ＮＣＵ８５を介して通信相手端末８７側に送信したり、通信相手端末８７側からＮＣＵ８５を介して受信したアナログ信号をディジタル信号に復調したりする変復調機能を有する他、音声を合成する音声合成機能を備えている。
【００３１】
次に、以上のように構成された多機能ファクシミリ装置１に設けられた各種機能の内、画像読取部６１によって読み取られた原稿上の画像情報を、モデム８３を介して通信相手端末８７側に送信するファクシミリ機能について、図３に示すデータ送信処理フローチャートを参照しながら詳細に説明する。尚、このファクシミリ機能は、上述したＲＯＭ６９に格納されたデータ送信処理プログラムに基づいて処理されており、このデータ送信処理プログラムは、操作パネル３を介して使用者からのファクシミリ送信指示が確認された際に実行される構成となっている。
【００３２】
まず、操作パネル３を介してファクシミリ送信の指示が確認されると、ＲＡＭ７３が有する全メモリの内、空きを有するメモリの一部を画像データメモリ７５及び符号化データメモリ７７として割り当てる処理を実行する（Ｓ１）。
【００３３】
その後、画像読取部６１によって原稿を読み取る速度を、読取速度決定処理（Ｓ３）を介して決定する。
【００３４】
ここで、図４に示す読取速度決定処理フローチャートを参照しながら、画像読取部６１による原稿の読取速度を決定する過程を詳細に説明する。尚、この読取速度決定処理は、上述したＲＯＭ６９に格納された読取速度決定処理プログラムに基づいて処理する構成となっている。
【００３５】
まず、この読取速度決定処理プログラムが開始されると、画像データメモリ７５及び符号化データメモリ７７に所定値以上の空きメモリ容量があるか確認を行い（Ｓ２１）、所定値以上の空きメモリ容量がある場合（Ｓ２１：ＮＯ）は、画像読取部６１の読取速度を５ｍｓ／ｌｉｎｅに設定して（Ｓ２９）、この読取速度決定処理を終了する。
【００３６】
一方、Ｓ２１の判断において、所定値以上の空きメモリ容量が無い場合（Ｓ２１：ＹＥＳ）は、次に、原稿載置部５上に載置された原稿の残枚数が所定枚数以上であるか否かを判断する（Ｓ２３）。尚、この原稿載置部５上に載置された原稿の残枚数が所定枚数以上であるか否かの判断は、図示しない光学的センサを介して原稿載置台５上に載置された原稿の厚みに基づいて判断する構成としても良いし、予め操作パネル３に設けられたテンキーを介して大まかな原稿枚数を入力するとともに、その入力された原稿枚数から読み取りが終了した原稿の枚数を減算することにより判断する構成としても良い。
【００３７】
このＳ２３の判断において、残原稿枚数が所定枚数未満であると判断された場合（Ｓ２３：ＮＯ）は、画像読取部６１の読取速度を５ｍｓ／ｌｉｎｅに設定して（Ｓ２９）、この読取速度決定処理を終了する。
【００３８】
一方、Ｓ２３の判断において、残原稿枚数が所定枚数以上であると判断された場合（Ｓ２３：ＹＥＳ）は、操作パネル３に設けられたレゾルーションキーを介して選択された原稿の読取解像度が、スーパーファインに設定されているか判断し（Ｓ２５）、原稿の読取解像度がスーパーファイン以外であると判断された場合（Ｓ２５：ＮＯ）は、画像読取部６１の読取速度を５ｍｓ／ｌｉｎｅに設定して（Ｓ２９）、この読取速度決定処理を終了する。
【００３９】
また、Ｓ２５の判断において、原稿の読取解像度がスーパーファインであると判断された場合（Ｓ２５：ＹＥＳ）は、次に、画像読取部６１を介して得られる画像データを画像データメモリ７５に格納する読取速度と、符号化データメモリ７７に格納された符号化データを、モデム８３を介して通信相手端末８７に送信する送信速度とを比較して、読取速度よりも送信速度の方が早いか否かを判断する（Ｓ２７）。ここで、読取速度よりも送信速度の方が速い場合（Ｓ２７：ＹＥＳ）は、画像読取部６１の読取速度を１０ｍｓ／ｌｉｎｅに設定して（Ｓ３１）、この読取速度決定処理を終了する。
【００４０】
一方、Ｓ２７の判断において、読取速度よりも送信速度の方が遅い場合（Ｓ２７：ＮＯ）は、画像読取部６１の読取速度を２０ｍｓ／ｌｉｎｅに設定して（Ｓ３３）、この読取速度決定処理を終了する。
【００４１】
以上のように画像読取部６１の読取速度が決定された後は（Ｓ３）、その読取速度に従って原稿の読み取りを開始するとともに（Ｓ５）、順次その読み取られた画像データを画像データメモリ７５内に格納する（Ｓ７）。また、これと同時に、画像データメモリ７５内に格納された画像データを順次抽出するとともに（Ｓ９）、符号／復号化部５５を介して画像データを符号化圧縮して（Ｓ１１）、その符号化圧縮された符号化データを符号化データメモリ７７に格納する処理を進行させる（Ｓ１３）。更に、これらの処理と平行して、符号化データメモリ７７に格納された符号化データを、順次モデム８３を介して通信相手端末８７側に送信する処理が実行される（Ｓ１５）。
【００４２】
その後、原稿載置部５に載置された原稿を全て読み取ったか判断して（Ｓ１７）、全ての原稿を読み取っていない場合（Ｓ１７：ＮＯ）は、再度Ｓ３の処理に移行する。
【００４３】
一方、Ｓ１７の判断において、原稿載置台５に載置された原稿を全て読み取ったと判断した場合（Ｓ１７：ＹＥＳ）は、符号化データメモリ１３及び画像データメモリ７５に格納されたデータを全て送信したか否かを判断して（Ｓ１９）、全てのデータを送信していないと判断した場合（Ｓ１９：ＮＯ）は、再度Ｓ１５の処理に移行する。また、Ｓ１９の判断において、全てのデータを送信したと判断した場合（Ｓ１９：ＹＥＳ）は、このデータ送信処理を終了する。
【００４４】
尚、本発明は上記実施形態に限定されるものではなく、本発明の要旨を逸脱しない範囲において、種々の改良、変形が可能であることは勿論である。例えば、本実施形態における多機能ファクシミリ装置１は、原稿上に形成された画像データを読み取るとともに、通信相手端末８７に転送する構成を例に挙げて説明したが、勿論これに限定されるものではなく、原稿上に形成された画像データを転送する転送先を多機能ファクシミリ装置１内に設けられた画像形成部５３として、原稿上に形成された画像データをコピーする構成としても同様な効果が得られることは言うまでもない。
【００４５】
また、このように画像データの転送先を画像形成部５３とした場合は、画像読取部６１による読取速度を、画像形成部５３で設定された出力解像度や、画像形成部５３が節電モードやスリープモードであるか否かに基づいて設定する構成としても良い。
【００４６】
更に、本実施形態における多機能ファクシミリ装置１では、ＲＡＭ７３に、画像データメモリ７５と、符号化データメモリ７７を共に有する構成を挙げて説明したが、勿論これに限定されるものではなく、ＲＡＭ７３とは別に、それぞれ個別のメモリを有する構成としても同様な効果が得られることは言うまでもない。
【００４７】
以上説明したように、本実施形態に係る多機能ファクシミリ装置１によれば、読取速度決定処理（Ｓ３）によって、画像データメモリ７５や符号化データメモリ７７のメモリ空き容量（Ｓ２１）、読み取りが完了していない原稿の枚数（Ｓ２３）、原稿の読み取り解像度（Ｓ２５）、あるいは、読取速度と送信速度との速度比較（Ｓ２７）に基づいた読取速度が決定されるので（Ｓ２９、Ｓ３１、Ｓ３３）、画像データメモリ７５あるいは符号化データメモリ７７のメモリ容量を全て使い切り、画像読取部６１の読取動作をやむなく停止／再動することが無くなるため、原稿を分割して読み取ることが無くなり、よって、画像データの連続性を兼ね備えた品質の良いデータ転送を行うことが可能となる。
【００４８】
【発明の効果】
以上説明したように、本発明に係るデータ転送装置によれば、データ格納部のメモリ容量を全て使い切ってしまい、読取部の読取動作をやむなく停止／再動することが無くなるため、被読取媒体を分割して読み取ることが無くなり、よって、画像データの連続性を兼ね備えた品質の良いデータ転送を行うことが可能となる。
また、メモリ空き容量が残り僅かであっても、特定の条件を満たせば読取速度を低下させずに読取動作を実行することが可能となるので、不必要に読取速度を低下させたことにより、使用者の待ち時間を増加させてしまうことがない。
【００４９】
【００５０】
【００５１】
【００５２】
【図面の簡単な説明】
【図１】  本発明に係るデータ転送装置の一例を示す多機能ファクシミリ装置の概観斜視図である。
【図２】  多機能ファクシミリ装置の内部構成を示すブロック構成図である。
【図３】  データ送信処理の処理過程を示したフローチャート図である。
【図４】  読取速度決定処理の処理過程を示したフローチャート図である。
【符号の説明】
１  多機能ファクシミリ装置
３  操作パネル
５  原稿載置台
５１  ＣＰＵ
５３  画像形成部
５５  符号／復号化部
５７  ２値化部
６１  画像読取部
６９  ＲＯＭ
７３  ＲＡＭ
７５  画像データメモリ
７７  符号化データメモリ
８３  モデム
８７  通信相手端末
【図１】
0003671731.tif 000002
【図２】
0003671731.tif 000003
【図３】
0003671731.tif 000004
【図４】
0003671731.tif 000005